(57)【要約】【課題】  所謂成りすましを防止しネットワークの信頼性を向上させることができる電力線通信装置または電力線通信システムを得る。【解決手段】  新たに追加された子モデム２Ａが、親モデム１と一定時間通信をしなければ、親モデム１において記憶部２３に記憶されている認証情報管理テーブル上の子モデム２Ａに該当する認証情報を消去する。他方、子モデム２Ａにおいて記憶部２３に記憶されている認証情報管理テーブル上の認証情報を消去する。【選択図】      図２
2008124628.tif 000002
【特許請求の範囲】
【請求項１】
電力線が伝送線路として使用される電力線通信装置であって、
電力線通信が可能なコンセントと、
電力線通信が可能な端末装置の電源プラグが該コンセントに接続されると該端末装置の認証情報を生成する制御部と、
該制御部により生成された該認証情報を記憶する記憶部と、
計時処理部とを備え、
該計時処理部は、該認証情報を保持するための時間を計時し、
該記憶部は、該計時に従って記憶を消去されることを特徴とする電力線通信装置。
【請求項２】
電力線が伝送線路として使用される電力線通信装置と該電力線通信装置に接続される端末装置との間において認証情報を送受信するための電力線通信システムであって、
該電力線通信装置は、電力線通信が可能なコンセントと制御部と送信部とを備え、
該端末装置は、電力線通信が可能な電源プラグと受信部と記憶部と計時処理部とを備え、
該電力線通信装置において、
該制御部は、該端末装置の該電源プラグが該コンセントに接続されると該端末装置の認証情報と該認証情報の記憶を保持するための時間情報を生成し、
該送信部は、該コンセントを通じて該認証情報と該時間情報を該端末装置の該受信部に送信し、
該端末装置において、
該受信部は、該電源プラグを通じて該認証情報と該時間情報を該電力線通信装置の該送信部から受信し、
該計時処理部は、該認証情報を保持するための時間を該受信部が受信した該時間情報に従って計時し、
該記憶部は、該受信部が受信した該認証情報を記憶し、該計時に従って記憶を消去されることを特徴とする電力線通信システム。
【発明の詳細な説明】
【技術分野】
【０００１】
本発明は、電力線を伝送線路とした電力線通信に使用する電力線通信装置および電力線通信システムに関するものである。
【背景技術】
【０００２】
電力線通信システム（Power Line Communication System：以下、ＰＬＣシステムという。）は、周波数が５０Ｈｚ又は６０Ｈｚの商用電流が流れる電力線に、通信信号としての高周波信号（数ｋＨｚから高いものでは数十ＭＨｚ以上に及ぶ。）を重畳して通信を行うものである。かかるＰＬＣシステムは専用の通信回線を使用することなく、各家屋等に引き込まれた既設の電力線（配電線あるいは電灯線とも呼ばれる。）を利用して大容量のデータ送受信が可能なシステムとして注目されている。
【０００３】
上記ＰＬＣシステムでＬＡＮなどのネットワークを構築するためには、そのネットワークを構成する電力線通信装置（ＰＬＣ用の親機モデム、子機モデム及び情報家電機器等）が当該ネットワークの認証情報を持つ必要がある。この認証情報としては、当該ネットワークを特定するためのネットワークＩＤ（ＳＳＩＤ：Service Set Identifier）、当該ネットワーク内で送受信される信号を暗号化するための暗号鍵、ハウスコードなどがある。
これらの認証情報を、ネットワークに含まれる電力線通信装置が持つことで、他のネットワークのデータと自ネットワークのデータを区別して通信することができる。
【０００４】
従って、既設のネットワークに新しい電力線通信装置を追加しようとする場合には、新たにネットワーク内で稼働する電力線通信装置に対して、当該ネットワークにおける共通の認証情報を設定する必要がある。そして、新たな電力線通信装置に対して認証情報を設定する際には、他の電力線通信装置と区別した上で、新たな電力線通信装置を特定する必要がある。
【０００５】
電力線通信装置でネットワークを構成する場合におけるＳＳＩＤ、暗号鍵及びハウスコードの設定は、一般にユーザが自ら手動で行う必要があるので、その設定作業が複雑で手間のかかるものであった。
そこで、電力線を用いて通信を行うホームネットワークシステムにおいて、電源プラグの挿入を検出し、予め家庭ごとに割り当てられたハウスコードを、そのコンセントに電源プラグが接続された電力線通信可能な各端末装置に自動設定するホームネットワークシステムが提案されている（特許文献１参照）。
【特許文献１】特開２００３−７８４５６号公報
【発明の開示】
【発明が解決しようとする課題】
【０００６】
しかしながら、上記特許文献１のホームネットワークシステムでは、電源プラグを接続するだけで認証情報を自動設定する通信用のコンセントを設けると、ネットワーク管理者に無断でそのコンセントに端末装置を接続して認証情報を取得し、その後、その認証済みの端末装置を近くの電力線に接続することでネットワーク内の情報を盗み出す、所謂成りすましが懸念される。
【０００７】
このような実情に鑑み、本発明の電力線通信装置または電力線通信システムにおいて、認証情報の付与が一旦完了した端末装置に対して一定条件の下、認証情報の記憶を消去することができる電力線通信装置または電力線通信システムを提供することを目的とする。
【課題を解決するための手段】
【０００８】
第１の発明にかかる電力線通信装置においては、電力線が伝送線路として使用される電力線通信装置であって、電力線通信が可能なコンセントと、電力線通信が可能な端末装置の電源プラグがコンセントに接続されると端末装置の認証情報を生成する制御部と制御部により生成された認証情報を記憶する記憶部と計時処理部とを備え、計時処理部は、認証情報を保持するための時間を計時し、記憶部は、計時に従って記憶を消去されることを特徴とする。
【０００９】
第１の発明にかかる電力線通信装置によれば、コンセントと、このコンセントへの電源プラグの接続に基づいて認証情報を自動的に生成し、記憶されるが、端末装置との通信が一定期間行われない場合に、電力線通信装置における認証情報は記憶消去される。そして、成りすましで認証情報を取得しても、その端末装置を再度電力線に接続するまでの期間が上記一定期間を過ぎている場合には、もはや当該電力線通信装置と通信することができなくなる。
【００１０】
第２の発明にかかる電力線通信システムにおいては、電力線が伝送線路として使用される電力線通信装置と電力線通信装置に接続される端末装置との間において認証情報を送受信するための電力線通信システムであって、電力線通信装置は、電力線通信が可能なコンセントと制御部と送信部とを備え、端末装置は、電力線通信が可能な電源プラグと受信部と記憶部と計時処理部とを備え、電力線通信装置において、制御部は、端末装置の電源プラグがコンセントに接続されると端末装置の認証情報と認証情報の記憶を保持するための時間情報を生成し、送信部は、コンセントを通じて認証情報と時間情報を端末装置の受信部に送信し、端末装置において、受信部は、電源プラグを通じて認証情報と時間情報を電力線通信装置の送信部から受信し、計時処理部は、認証情報を保持するための時間を受信部が受信した時間情報に従って計時し、記憶部は、受信部が受信した認証情報を記憶し、計時に従って記憶を消去されることを特徴とする。
【００１１】
第２の発明にかかる電力線通信システムによれば、認証情報が付与された端末装置において電力線装置との通信が一定期間行われない場合に、端末装置における認証情報は記憶消去される。そして、成りすましで認証情報を取得した電力線通信装置が、その端末装置を再度電力線に接続するまでの期間が上記一定期間を過ぎている場合には、もはや当該端末装置と通信することができなくなる。
【発明の効果】
【００１２】
本発明によれば、電力線通信装置または電力線通信システムにおいて、認証情報の付与がいったん完了した端末装置との通信が一定期間行われない場合に、その端末装置に関する認証情報の記憶を消去することができるため、ネットワークの信頼性を向上させることができる。
【発明を実施するための最良の形態】
【００１３】
以下、図面に基づいて、本発明の実施形態を説明する。なお、異なる図面において同一又は相応する符合を付した要素は、同一又は相応する要素を示すものとする。
【００１４】
〔宅内ネットワーク〕
図１は、本発明の電力線通信装置（親モデム）を用いて構築された宅内ネットワーク（ＬＡＮ）の一例を示している。このネットワークでは、各家屋Ａ，Ｂ，Ｃ内の宅内電力線９ａ，９ｂ，９ｃに電力線通信装置１，２，３が接続されており、各家屋Ａ，Ｂ，Ｃ内にそれぞれ独立したネットワーク（ＬＡＮ）が構築されている。なお、以下において、家屋Ａ，Ｂ，Ｃに構築されたネットワークを、それぞれネットワークＡ、ネットワークＢ及びネットワークＣという。
【００１５】
宅内電力線９ａ，９ｂ，９ｃは、電柱等に設置された変圧器５から各家屋Ａ，Ｂ，Ｃまで延設されている。この変圧器５は、中圧電圧を低電圧（例えば、２００Ｖ）に変換するものであり、その１次側には、三相交流の中圧電圧（例えば、６ｋＶ）を配電する中圧配電線８が接続され、２次側には電力線９が接続されている。
この変圧器５の２次側に接続された電力線９は、複数の家屋Ａ，Ｂ，Ｃに共通する共通電力線であり、この共通電力線９から各家屋Ａ，Ｂ，Ｃの宅内電力線９ａ，９ｂ，９ｃが分岐している。
【００１６】
各宅内電力線９ａ，９ｂ，９ｃには宅内コンセント１０が適宜設けられており、これらのコンセント１０のいずれかに前記電力線通信装置１，２，３がそれぞれ接続されて各ネットワークＡ，Ｂ，Ｃが構築されている。各電力線通信装置１，２，３は電力線９ａ，９ｂ，９ｃを介してＰＬＣ信号の伝送を行うとともに電力供給を受ける。
各ネットワークＡ，Ｂ，Ｃを構成する電力線通信装置１，２，３には、少なくとも１つの親モデム１が含まれており、この親モデム１が本発明の電力線通信装置に該当する。
【００１７】
上記親モデム１は、ネットワークＡ，Ｂ，Ｃ内の子モデム２や、電力線通信が可能な情報家電機器３等よりなる端末装置との間でＰＬＣ信号にて通信を行うものであり、この親モデム１は、子モデム２や情報家電機器３が電力線通信を行うためのアクセスポイント（ＡＰ）となる。このため、子モデム２及び情報家電機器３はネットワークシステムのエンドポイント（ＥＰ）となる。
【００１８】
本実施形態の親モデム１は、ブロードバンドルータ機能を内蔵しており、インターネット等の外部ネットワークへアクセスが可能である。親モデム１がブロードバンドルータ機能を有する場合、親モデム１には、信号線Ｓ１を介して光ファイバ７又はＡＤＳＬ用等の終端装置６が接続され、この終端装置６を介して外部ネットワークとの間の通信が可能となっている。
【００１９】
〔親モデムおよび子モデムの構成〕
図２は、親モデム１と子モデム２の電力線通信のための基本構成を示している。
これらの親モデム１と子モデム２は、ともに基本構成は同様であり、筐体１９の内部に、電力線９にＰＬＣ信号を重畳させる結合回路２０と、その電力線９に伝送されるＰＬＣ信号の送受信を行うために変復調処理等を行うＰＬＣ送受信部２１と、認証情報を生成する制御部２２と、認証情報の記憶を行う記憶部２３と、認証情報の設定処理状態をユーザに報知するＬＥＤ等よりなる表示部２４とを備えている。
【００２０】
また、親モデム１は、上述の基本構成に加えて、サービスコンセントとしても機能する通信用のコンセント２５と、このコンセント２５に対する電源プラグ２８の接続を検出する検出部２６とを備えている。
これらの親モデム１および子モデム２は、筐体１９から延設された電源コード２７の先端部に電源プラグ２８を備えており、この電源プラグ２８を家屋Ａ，Ｂ，Ｃの宅内コンセント１０に接続することにより、ＰＬＣ信号の伝送路および電力供給線である電力線９ａ，９ｂ，９ｃに接続される。また、これらの各モデム１，２は、イーサーネット（登録商標）ケーブルの接続ポート２９を備えており、このポート２９に接続されたＰＣ（パーソナルコンピュータ）３０とイーサーネット（登録商標）に基づく通信を行うことができる。
【００２１】
各モデム１，２の制御部２２は、各家屋のネットワークＡ，Ｂ，Ｃを区別し、自ネットワークＡ，ＢまたはＣを認識するためのネットワークＩＤとしてＳＳＩＤを有する。このネットワークＩＤはＰＬＣ信号の送信データに含めて送信され、受信したＰＬＣ信号が自ネットワークから送信されたものであるか、他ネットワークから送信されたものであるかを区別することができる。なお、ネットワークＡ，Ｂ，Ｃの認証情報としては、ハウスコードを使用することもできる。
また、各モデム１，２の制御部２２は、ＰＬＣ信号を暗号化するための暗号鍵のデータを有している。この暗号鍵は、ＰＬＣ信号をネットワークＡ，Ｂ，Ｃ外の装置から読みとられないように各ネットワークＡ，Ｂ，Ｃごとに異なるものが設定される。
【００２２】
上記ネットワークＩＤ、暗号鍵及びハウスコード等の認証情報は、ユーザが自由に設定できるようにしてもよいが、ここでは親モデム１が自動生成するよう構成されていて、これによってユーザによる番号や記号入力の手間を省いている。
自動生成される認証情報は、親モデム１に付与されているＭＡＣアドレスを基に生成される。より具体的には、ＭＡＣアドレスに乱数を付加することで認証情報が生成され、このように認証情報を作成することで、唯一かつ他者に推測され難いものとすることができる。
【００２３】
また、親モデム１の制御部２２は、電源プラグ２８が通信用のコンセント２５に接続されたことを検出部２６が検出すると、この検出に基づいて認証情報とその認証情報を記憶保持するための時間情報を生成し、親モデム１の記憶部２３に記憶させるとともに、それらを子モデム２に送信する。子モデム２は、親モデム１から受信する認証情報とその認証情報を記憶保持する時間情報を子モデム２の記憶部２３に記憶させる。
【００２４】
〔計時処理部の構成〕
親モデム１の計時処理部４０は、親モデム１の記憶部２３に記憶される認証情報の保持期間を計時する。子モデム２の計時処理部４０も、親モデム１の計時処理部４０と同様に子モデム２の記憶部２３に記憶される認証情報の保持期間を計時する。
親モデム１の計時処理部４０は、図６のように、カウンタ４０１、二値化回路部４０２および５０／６０Ｈｚ切替回路部４０３により構成される。二値化回路部４０２は、宅内電力線９ａ上の商用周波数をパルス信号に変換する。５０／６０Ｈｚ切替回路部４０３は、親モデム１の使用される地域に応じて、５０Ｈｚまたは６０Ｈｚのいずれかを選択するための切替スイッチである。カウンタ４０１は、二値化回路部４０２から得られるパルス信号と５０／６０Ｈｚ切替回路部４０３の切替情報に基づいて、カウンタ内の数値をインクリメント又はディクリメントする。カウンタ４０１はループ式のカウンタで、３２ビットで構成されている場合、ＦＦＦＦＦＦＦＦＨ（１６進数）に達してインクリメントされると００００００００Ｈになる。
【００２５】
商用周波数５０Ｈｚの地域では、２０ｍ秒毎にカウンタ４０１が作動し数値がインクリメントされる。１時間経つと１８０千回インクリメントされ、１日経つと４，３２０千回インクリメントされる。
【００２６】
上述したように、計時処理部４０は、正確な計時を行うために好ましい態様として、宅内電力線９ａの商用周波数を利用することを想定しているが、場合によっては、子モデム２は宅内電力線９ａのコンセント１０から外されることもある。このため子モデム２の計時処理部４０は宅内電力線９ａ上の商用周波数を利用せず、他の手段を用いてもよい。例えば、電気容量の大きなキャパシタを利用して、記憶部２３に電力供給しておき、そのキャパシタの時定数で定まる時間分のみ、記憶部２３に格納される認証情報を保持する構成にすると、回路構成がより簡単になり好ましい。
【００２７】
〔検出部の構成〕
図３および図４は、親モデム１に設けられた前記検出部２６の構成例を示し、それぞれ（ａ）は電力供給兼通信用のコンセント２５の正面図、（ｂ）はコンセント２５の側面図である。
このうち、図３に示す検出部２６は、コンセント２５の中央部から突出するピン型の検出スイッチ３１よりなり、このスイッチ３１はコンセント２５の挿入方向に沿って出退自在に設けられている。このため、コンセント２５に電源プラグ２８が差し込まれると、検出スイッチ３１が筐体１９の内部側に押し込まれ、これによって電源プラグ２８の接続が検出される。
【００２８】
一方、図４に示す検出部２６は、筐体１９に出退自在に設けられた当該通信用のコンセント２５自体によって構成されている。このため、コンセント２５に電源プラグ２８が差し込まれると、コンセント２５が筐体１９の内部側に押し込まれ、接点をＯＮ／ＯＦＦすることにより電源プラグ２８の接続が検出される。
なお、電源プラグ２８の接続の検出方法はこれらに限られず、電源プラグ２８をコンセント２５に接続した時にその電源端子に発生する微小な熱変化や電流変化、インピーダンスの変化を、熱検出センサや電流検出センサ、インピーダンス検出器で検出する方法を採用することもできる。
【００２９】
〔認証情報の設定方法〕
図１に示す宅内ネットワークおいて、ある一つのネットワークＡには、親モデム１と第１の子モデム２と情報家電機器３が既に接続されているものとし、このネットワークＡに第２の子モデム２Ａ（「端末装置」）を新たに追加する場合を想定する。この場合、新たに追加されるモデム２Ａは、親モデム１から、ネットワークＡのネットワークＩＤやネットワークＡで用いられる暗号鍵およびハウスコード等の認証情報を設定される必要がある。
【００３０】
図２は、上述のような子モデム２Ａの追加の場合において、子モデム２Ａの認証情報の設定のためのモデム接続を示しており、本実施形態では、認証情報の通知元である親モデム１の通信用のコンセント２５に、認証情報の通知先である子モデム２Ａの電源プラグ２８を接続することにより行われる。
【００３１】
上述のようにして電源プラグ２８が接続されると、親モデム１の検出部２６がその接続を検出し、この検出に基づいて、親モデム１の制御部２２がネットワークＩＤ、暗号鍵およびハウスコード等の認証情報とこの認証情報を記憶保持する時間情報を自動生成する。この認証情報と時間情報は、親モデム１の記憶部２３に格納されるとともに、コンセント２５から電源コード２７を介して子モデム２Ａに一定時間だけ送信される。
他方、子モデム２Ａの制御部２２は、ＰＬＣ送受信部２１において上記認証情報を受信すると、記憶部２３にその認証情報と時間情報を記憶させる。
【００３２】
親モデム１と子モデム２Ａの記憶部２３が認証情報と時間情報を記憶すると、各モデム１，２Ａの制御部２２はＬＥＤ等よりなる表示部２４を点滅させ、これによってユーザに認証情報の設定が完了したことが報知される。
その後は、子モデム２Ａの電源プラグ２８を親モデム１のコンセント２５から取り外して、ネットワークＡ内にある任意の宅内コンセント１０に子モデム２Ａを差し込むことにより、子モデム２ＡがネットワークＡ内の新たな通信装置として増設されることになる。
【００３３】
なお、図２では、親モデム１のコンセント２５に子モデム２Ａの電源プラグ２８を接続して、その子モデム２３に認証情報を設定する場合を例示しているが、電力線通信が可能な情報家電機器３（「端末装置」）の電源プラグ２８を親モデム１のコンセント２５に接続すれば、当該情報家電機器３に対して認証情報の自動設定を行うことができる。
【００３４】
〔認証情報の管理テーブル〕
図５は、上述のように親モデム１の記憶部２３に格納されるネットワークＩＤ、暗号鍵およびハウスコード等の認証情報の管理テーブルを示す。この管理テーブルの「子モデム管理台数（ｎ）は、図１の親モデム１であれば、子モデム２と子モデム２Ａの２台である。後述する「子モデムＭＡＣアドレス」から「認証情報消去予定時のカウンタ値」までのデータは、２台分即ち、２回繰り返されて格納される。
【００３５】
「子モデムＭＡＣアドレス」は個々の子モデムに付与されているＭＡＣアドレスである。このＭＡＣアドレスにより管理対象となる子モデムを識別し管理する。認証情報である「ネットワークＩＤ」、「暗号鍵」および「ハウスコード」には、上述のように親モデム１が生成したデータが格納される。
【００３６】
「通信終了時のカウンタ値」は、子モデムとの通信が終了した時のカウンタ４０１の値が格納される。例えば、親モデム１が子モデム２Ａと最後に通信終了した時（子モデムとの通信セッションを切った時）のカウンタ４０１の値が０（１０進数）であるなら、「通信終了時のカウンタ値」には０が格納される。
【００３７】
「認証情報消去予定時のカウンタ値」は、認証情報消去予定時のカウンタ値がセットされる。例えば、親モデム１が子モデム２Ａと最後に通信終了した時から１時間後に認証情報を消去するなら１８０千（１０進数）に相当するデータがセットされる。１日後に認証情報を消去するなら４，３２０千（１０進数）に相当するデータがセットされる。
【００３８】
以上のように図５を用いて親モデム１の記憶部２３に記憶される認証情報の管理テーブルの内容を説明したが、子モデム２Ａの記憶部２３においても基本的には同様の認証情報の管理テーブルが記憶される。この場合、認証情報の管理テーブルは子モデム２Ａ自身を管理することになるので、「子モデム管理台数」を１にしておき、「子モデムＭＡＣアドレス」から「認証情報消去予定時のカウンタ値」までのデータを１台分記憶すればよい。
【００３９】
〔認証情報の消去方法〕
図１のネットワークＡに子モデム２Ａを新たに追加され、親モデム１は子モデム２Ａの認証情報を生成した。上述したように、この認証情報は、親モデム１において記憶部２３の認証情報管理テーブルに記憶されている。また、親モデム１は子モデム２Ａにこの認証情報を送信し、子モデム２Ａは子モデム２Ａの記憶部２３の認証情報管理テーブルに認証情報を記憶している。
【００４０】
この新たに追加された子モデム２Ａが、親モデム１と一定時間通信をしなければ、親モデム１において記憶部２３に記憶されている認証情報管理テーブル上の子モデム２Ａに該当する認証情報を消去する。他方、子モデム２Ａにおいて記憶部２３に記憶されている認証情報管理テーブル上の認証情報を消去する。なお、親モデム１と子モデム２Ａとが通信をしない場合とは電力線９ａ上に親モデム１と子モデム２Ａとがコンセント１０を介して接続されているものの通信プロトコル上接続状態でない場合の他、子モデム２Ａの電源プラグ２８がコンセント１０から抜かれた場合も含まれる。
【００４１】
親モデム１が、親モデム１の記憶部２３に記憶されている認証情報管理テーブル上の子モデム２Ａの認証情報を消去する場合を図５と図６を用いて説明する。親モデム１は、上述したように子モデム２Ａと最後に通信した時、図５の認証情報管理テーブル上の「通信終了時のカウンタ値」には、図６のカウンタ４０１の値が格納される。このとき、併せて、１時間後に認証情報を消去するなら「認証情報消去予定時のカウンタ値」に「通信終了時のカウンタ値」に１８０千（１時間分のカウンタ値：１０進数）を加えた数値を格納する。
【００４２】
そして、図６の制御部２２は、カウンタ４０１の数値が、図５の認証情報管理テーブル上の「通信終了時のカウンタ値」に一致するか否か監視をし、一致した場合制御部２２は認証情報管理テーブル上の子モデム２Ａに該当する認証情報をすべて消去する。この消去後、子モデム２Ａは親モデム１と通信しようとしても、親モデム１において子モデム２Ａに関する認証情報が存在しないため、子モデム２Ａは親モデム１に通信できない。
【００４３】
親モデム１において子モデム２Ａに関する認証情報を消去する場合を説明したが、子モデム２Ａ自身における同様の消去作業を子モデム２Ａの記憶部２３に記憶されている認証情報管理テーブル上の自己の認証情報を消去する。
【００４４】
認証情報の消去の結果、ネットワーク管理者に無断で親モデム１のコンセント２５に子モデム２Ａを接続し、親モデム１が生成する認証情報を不当に取得した部外者が居たとしても、上記一定期間をある程度短い期間に設定しておけば、子モデム２Ａを電力線９に再接続するまでにその一定期間が過ぎると子モデム２Ａでの通信が行えなくなり、成りすましによる情報漏洩を未然に防止することができる。
なお、上記の説明においては、親モデム１および子モデム２Ａ双方の認証情報管理テーブル上の認証情報を消去している。成りすましを防止しネットワークの信頼性を向上させるためには、親モデム１または子モデム２Ａのいずれか一方の認証情報管理テーブル上の認証情報を消去する構成にしてもよい。
【００４５】
今回開示された実施の形態はすべての点で例示であって制限的なものではないと考えられるべきである。本発明の範囲は、上記の意味ではなく、特許請求の範囲によって示され、特許請求の範囲と均等の意味および範囲内でのすべての変更が含まれることが意図される。
【図面の簡単な説明】
【００４６】
【図１】電力線通信による宅内ネットワークの全体構成図である。
【図２】親モデムと新規追加される子モデムの接続方法を示す図である。
【図３】検出部の構成例を示すためのコンセントの拡大図である。
【図４】検出部の他の構成例を示すためのコンセントの拡大図である。
【図５】親モデムおよび子モデムの記憶部に格納される認証情報を管理するテーブル示す図である。
【図６】計時処理部を示すブロック図である。
【符号の説明】
【００４７】
Ｓ１      信号線
１      親モデム（ＡＰ：電力線通信装置）
２      子モデム（ＥＰ：端末装置）
３      情報家電機器（ＥＰ：端末装置）
５      変圧器
６      終端装置
７      光ファイバ
８      中圧配電線
９      電力線
９ａ    宅内電力線
９ｂ    宅内電力線
９ｃ    宅内電力線
１０      宅内コンセント
１９      筐体
２０      結合回路
２１      ＰＬＣ送受信部
２２      制御部
２３      記憶部
２４      表示部
２５      電力供給兼通信用のコンセント
２６      検出部
２７      電源コード
２８      電源プラグ
２９      接続ポート
３０      パソコン
３１      検出スイッチ
４０      計時処理部
４０１    カウンタ
４０２    二値化回路
４０３    ５０／６０Ｈｚ切替回路
Ａ      宅内ネットワーク
Ｂ      宅内ネットワーク
Ｃ      宅内ネットワーク
【図１】
2008124628.tif 000003
【図２】
2008124628.tif 000004
【図３】
2008124628.tif 000005
【図４】
2008124628.tif 000006
【図５】
2008124628.tif 000007
【図６】
2008124628.tif 000008